(57)【要約】  上り回線／下り回線の通信の送信電力レベルは、無線通信システムにおいて制御される。受信局は、送信局からの受信信号に基づいて、電力制御情報を作り出し、送信局に提供する。測定されたブロック誤り率（ＢＬＥＲmsr）は、最後のＮの受信データブロックのスライドウィンドウにおける誤りのあるブロックの数から求められ、ＳＩＲ調整は、ＢＬＥＲmsrおよび目標ＢＬＥＲ（ＢＬＥＲtarget）に基づいて定められる。受信信号の目標ＳＩＲは、ＳＩＲ調整にしたがって調整される。
2007529166.tif 000002
【特許請求の範囲】
【請求項１】
受信局が、送信局からの受信信号に基づいて電力制御情報を作り出す、無線通信システムにおける上り回線／下り回線の通信の送信電力レベルを制御する方法であって、
（ａ）前記受信局でデータブロックを受信すること、
（ｂ）最後のＮの受信データブロックにおける誤りのあるブロックの数をトラッキングし、測定されたブロック誤り率（ＢＬＥＲmsr）を得ること、
（ｃ）前記ＢＬＥＲmsrおよび目標ＢＬＥＲ（ＢＬＥＲtarget）に基づいて目標ＳＩＲ（ＳＩＲtarget）を調整すること、
（ｄ）電力制御情報を生成すること、および
（ｅ）前記電力制御情報を、前記送信局の送信電力レベルの制御に用いるために、前記送信局に送信すること
を備えたことを特徴とする方法。
【請求項２】
スライドウィンドウの幅であるＮが、Ｋが１以上の定数であるとき、Ｋ／ＢＬＥＲtargetであることを特徴とする請求項１に記載の方法。
【請求項３】
前記ＳＩＲ調整は、ＳＴＥＰdownおよびＳＴＥＰupを備え、
前記（ｃ）は、
（ｃ１）ＣＲＣ検査の結果が、前記受信データブロックにおいて許容範囲にある場合、以前のＳＩＲtargetから、前記ＳＴＥＰdownを引くことによって新たなＳＩＲtargetを定めること、および
（ｃ２）ＣＲＣ検査の結果が、前記受信データブロックにおいて許容範囲にない場合、前記ＳＴＥＰupを、前記以前のＳＩＲtargetに加えることによって新たなＳＩＲtargetを定めること
を備えたことを特徴とする請求項１に記載の方法。
【請求項４】
前記ＳＴＥＰdownが、ＢＬＥＲdown＝ｍａｘ（−１，１−ＢＬＥＲmsr／ＢＬＥＲtarget）であり、ＳＴＥＰsizeが前記ＳＩＲ調整の収束スピードを決定するパラメータである、方程式ＳＴＥＰdown＝（１＋ＢＬＥＲdown）×ＢＬＥＲtarget×ＳＴＥＰsizeによって決定されることを特徴とする請求項３に記載の方法。
【請求項５】
前記ＳＴＥＰupが、ＢＬＥＲup＝ｍｉｎ（２，ＢＬＥＲmsr／ＢＬＥＲtarget−１）であり、前記ＳＴＥＰsizeが前記ＳＩＲ調整の収束スピードを決定するパラメータである、方程式ＳＴＥＰup＝（１＋ＢＬＥＲup）×（１−ＢＬＥＲtarget）×ＳＴＥＰsizeによって決定されることを特徴とする請求項３に記載の方法。
【請求項６】
前記ＳＴＥＰdownは、前記ＳＴＥＰsizeが前記ＳＩＲ調整の収束スピードを決定するパラメータである、方程式ＳＴＥＰdown＝（２×ＢＬＥＲtarget−ＢＬＥＲmsr）×ＳＴＥＰsizeによって決定され、
前記ＳＴＥＰupは、前記ＳＴＥＰsizeから前記ＳＴＥＰdownを引くことによって決定されることを特徴とする請求項３に記載の方法。
【請求項７】
前記電力制御情報は、請求項１の（ｃ）で生成された前記目標ＳＩＲ（ＳＩＲtarget）であることを特徴とする請求項１に記載の方法。
【請求項８】
前記電力制御情報は、目標電力制御（ＴＰＣ）命令であることを特徴とする請求項１に記載の方法。
【請求項９】
前記ＴＰＣ命令は、請求項１の（ｃ）で生成された前記目標ＳＩＲ（ＳＩＲtarget）と測定ＳＩＲとの比較に基づいて生成されることを特徴とする請求項８に記載の方法。
【請求項１０】
無線通信システムにおける通信の送信電力レベルを制御するワイヤレス送受信ユニット（ＷＴＲＵ）であって、
（ａ）送信局からデータブロックを受信する手段と、
（ｂ）最後のＮの受信データブロックにおける誤りのあるブロックの数をトラッキングし、測定されたブロック誤り率（ＢＬＥＲmsr）を得る手段と、
（ｃ）前記ＢＬＥＲmsrおよび目標ＢＬＥＲ（ＢＬＥＲtarget）に基づいて目標ＳＩＲ（ＳＩＲtarget）を調整する手段と、
（ｄ）電力制御情報を生成する手段と、
（ｅ）前記電力制御情報を、前記送信電力レベルを制御するために使用される前記送信局に送信する手段と
を備えたことを特徴とするＷＴＲＵ。
【請求項１１】
スライドウィンドウの幅であるＮが、Ｋが１以上の定数であるとき、Ｋ／ＢＬＥＲtargetであることを特徴とする請求項１０のＷＴＲＵ。
【請求項１２】
前記ＳＩＲ調整は、ＳＴＥＰdownおよびＳＴＥＰupを備え、
前記ＷＴＲＵは、
（ｅ）ＣＲＣ検査の結果が、前記受信データブロックにおいて許容範囲にある場合、以前のＳＩＲtargetから、前記ＳＴＥＰdownを引くことによって新たなＳＩＲtargetを定める手段と、
（ｆ）ＣＲＣ検査の結果が、前記受信データブロックにおいて許容範囲にない場合、前記ＳＴＥＰupを、前記以前のＳＩＲtargetに加えることによって新たなＳＩＲtargetを定める手段と
をさらに備えたことを特徴とする請求項１０に記載のＷＴＲＵ。
【請求項１３】
送信局からの受信信号に基づいて前記送信局についての電力制御情報を作り出し、無線通信システムにおける通信の送信電力レベルを制御するアクセスポイント（ＡＰ）であって、
（ａ）前記受信局でデータブロックを受信する手段と、
（ｂ）最後のＮの受信データブロックにおける誤りのあるブロックの数をトラックするために構成された誤り検出機器と、
（ｃ）誤り率を生成するために構成されたプロセッサと、
（ｃ）前記誤り率および目標誤り率に基づいて目標ＳＩＲ（ＳＩＲtarget）を計算するために構成された目標ＳＩＲジェネレータと、
（ｄ）電力制御情報を生成するために構成された電力制御情報ジェネレータと、
（ｄ）前記電力制御情報を、前記送信局の送信電力レベルを制御するために使用する前記送信局に送信する手段と
を備えたことを特徴とするＡＰ。
【請求項１４】
前記電力制御情報ジェネレータは、前記ＡＰが実装されているシステムが、クローズドループのインナーループ電力制御を利用する目標電力制御（ＴＰＣ）命令を生成することを特徴とする請求項１３に記載のＡＰ。
【請求項１５】
前記ＴＰＣ命令は、測定ＳＩＲと目標ＳＩＲ（ＳＩＲtarget）との比較に基づいて生成されることを特徴とする請求項１４に記載のＡＰ。
【請求項１６】
送信局からの受信信号に基づいて前記送信局についての電力制御情報を作り出し、無線通信システムにおける通信の送信電力レベルを制御するワイヤレス送受信ユニット（ＷＴＲＵ）であって、
（ａ）前記受信信号を一連のデータブロックに処理するために構成されたデータ評価機器と、
（ｂ）最後のＮの受信データブロックにおける誤りを検出するために構成された誤り検出機器と、
（ｃ）前記最後のＮのデータブロックの測定されたブロック誤り率（ＢＬＥＲmsr）を決定するために構成されたプロセッサと、
（ｄ）前記（ＢＬＥＲmsr）および目標ＢＬＥＲ（ＢＬＥＲtarget）に基づいて前記送信局の目標ＳＩＲ（ＳＩＲtarget）を生成するために構成された目標ＳＩＲ（ＳＩＲtarget）ジェネレータと、
（ｅ）前記送信局の送信電力レベルを制御するために、前記送信局によって使用される電力制御情報を生成するために構成された電力制御情報ジェネレータと
を備えたことを特徴とするＷＴＲＵ。
【請求項１７】
スライドウィンドウの幅であるＮは、Ｋが１以上の定数であるとき、Ｋ／ＢＬＥＲtargetであることを特徴とする請求項１６に記載のＷＴＲＵ。
【請求項１８】
前記目標ＳＩＲ（ＳＩＲtarget）ジェネレータは、ＳＴＥＰdownおよびＳＴＥＰupを備え、
前記ＷＴＲＵは、
（ｆ）ＣＲＣ検査の結果が、前記受信データブロックにおいて許容範囲にある場合、以前のＳＩＲtargetから、前記ＳＴＥＰdownを引くことによって新たなＳＩＲtargetを定める手段と、
（ｇ）ＣＲＣ検査の結果が、前記受信データブロックにおいて許容範囲にない場合、前記ＳＴＥＰupを、前記以前のＳＩＲtargetに加えることによって新たなＳＩＲtargetを定める手段と
を備えたことを特徴とする請求項１６に記載のＷＴＲＵ。
【請求項１９】
ワイヤレス送受信ユニット（ＷＴＲＵ）が、送信局からの受信信号に基づいて前記送信局についての電力制御情報を提供する、無線通信システムにおける通信の送信電力レベルを制御するアクセスポイント（ＡＰ）であって、
（ａ）前記受信信号を一連のデータブロックに処理するために構成されたデータ評価機器と、
（ｂ）最後のＮの受信データブロックにおける誤りを検出するために構成された誤り検出機器と、
（ｃ）前記最後のＮのデータブロックの測定されたブロック誤り率（ＢＬＥＲmsr）を決定するために構成されたプロセッサと、
（ｄ）前記（ＢＬＥＲmsr）および目標ＢＬＥＲ（ＢＬＥＲtarget）に基づいて前記送信局の目標ＳＩＲ（ＳＩＲtarget）を定めるために構成された目標ＳＩＲジェネレータと、
（ｅ）前記送信局の送信電力レベルを制御するために、前記送信局によって使用される、電力制御情報を生成するために構成された電力制御情報ジェネレータと
を備えたことを特徴とするＡＰ。
【請求項２０】
スライドウィンドウの幅であるＮは、Ｋが１以上の定数であるとき、Ｋ／ＢＬＥＲtargetであることを特徴とする請求項１９に記載のＡＰ。
【請求項２１】
前記目標ＳＩＲ（ＳＩＲtarget）を定めることは、ＳＴＥＰdownおよびＳＴＥＰupを備え、
前記ＡＰは、
（ｄ１）ＣＲＣ検査の結果が、前記受信データブロックにおいて許容範囲にある場合、以前のＳＩＲtargetから、前記ＳＴＥＰdownを引くことによって新たなＳＩＲtargetを定める手段と、
（ｄ２）ＣＲＣ検査の結果が、前記受信データブロックにおいて許容範囲にない場合、前記ＳＴＥＰupを、前記以前のＳＩＲtargetに加えることによって新たなＳＩＲtargetを定める手段と
をさらに備えたことを特徴とする請求項１９に記載のＡＰ。
【発明の詳細な説明】
【技術分野】
【０００１】
本発明は、アウターループ電力制御を使用する無線通信システムに関する。より詳細には、本発明は、修正されたジャンプアルゴリズムで強化したアウターループ電力制御システムに関する。
【背景技術】
【０００２】
ユーザがデータの送受信のための共通周波数（common frequency）を共有する無線通信システムにおける不要な干渉を減らすことは必須である。所定の無線リンク接続について満足できる電波状態を維持する一方、効果的な電力制御により、干渉は妥当なレベルまで減少する。
【発明の開示】
【発明が解決しようとする課題】
【０００３】
電力制御は、通常、２つの段階、すなわち、アウターループ電力制御（ＯＬＰＣ）およびインナーループ電力制御（ＩＬＰＣ）から成る。ＯＬＰＣは、目標となる信号対干渉比（signal to interference ratio）（ＳＩＲ）を制御し、受信された信号の品質を目標となる品質にできるだけ近い状態にしておく。ＩＬＰＣは、送信電力を制御し、各個別チャネル（ＤＰＣＨ）の受信されたＳＩＲを、目標ＳＩＲにできるだけ近い状態にしておく。すなわち、ＯＬＰＣのアウトプットは、ＩＬＰＣのために使用される更新された目標ＳＩＲである。
【０００４】
通常のＯＬＰＣは、ブロック誤り率（ＢＬＥＲ）を、受信信号の品質を示すものとして測定する。ＢＬＥＲは、送信されたトランスポートブロックの総数に対する誤りのあるトランスポートブロックの数の割合である。送信データの品質目標は、ＢＬＥＲ、例えば、目標ＢＬＥＲの１％に基づいて決定される。ＯＬＰＣは、ＢＬＥＲなど、所定のサービスに要求される品質にしたがって目標ＳＩＲを定める。巡回冗長検査（Cyclic Redundancy Check）（ＣＲＣ）は、特定の送信において誤りが存在するか否かについて決定するために使用される。基本的に、ユーザデータは送信のためのトランスポートブロックで分割され、ＣＲＣビットは、各トランスポートブロックに付加される。このデータの仕組みは、受信機で使用され、誤りが発生したかどうかを決定する。
【０００５】
既知のＯＬＰＣのプロセスであるジャンプアルゴリズムは、ＢＬＥＲに基づいて目標ＳＩＲを調整することによって電力を制御する。しかし、ジャンプアルゴリズムは、高品質な要求を備える呼（call）が、所望のＢＬＥＲよりも著しく高いＢＬＥＲに悩む（experience）という点で、なお問題を含む。さらに、この問題がより頻繁に発生するのは、短い呼（short call）が、より少数のトランスポートブロックを送信する場合である。
【０００６】
より高い誤り率に悩む呼の頻度を著しく下げるジャンプアルゴリズムを使用してＯＬＰＣを改善することは望ましいだろう。
【課題を解決するための手段】
【０００７】
上り回線／下り回線の通信の送信電力レベルは、本発明による無線通信システムにおいて制御される。受信局は、送信局からの受信信号に基づいて電力制御情報を作り出し、送信局に提供する。データブロックが受信されるので、測定されたブロック誤り率（ＢＬＥＲmsr）は、最後のＮの受信データブロックにおける誤りのあるブロックの数から求められ、目標ＳＩＲは、ＢＬＥＲmsrおよび目標ＢＬＥＲ（ＢＬＥＲtarget）に基づいて調整される。このことにより、本発明は、目標ＳＩＲをより良く適合させ、呼が特定のＢＬＥＲ要求に合致する確率を増やすことが可能になる。
【発明を実施するための最良の形態】
【０００８】
「局（station）」という用語は、ユーザ装置に限定するというわけではなく、ワイヤレス送受信ユニット（ＷＴＲＵ）、アクセスポイント（ＡＰ）、移動局、基地局、固定式または移動式の加入者ユニット、受信局、送信局、通信局、ポケットベル、または無線環境で動作可能な他の種類の機器を含む。さらに、これらの用語の各々を、本明細書では、同じ意味で使うことができる。
【０００９】
図１を参照して、本発明によるＯＬＰＣを実行するために構成された通信局１００を示す。本発明を上り回線および／または下り回線において実装することができることが知られている。通信局１００は、送信局（図１に示さず）からの通信を含む、さまざまな無線周波数信号を受信する。受信された信号は、アイソレータ１１０を介して復調装置１２０に渡される。復調装置１２０は、受信された信号からベースバンド信号を作り出す。
【００１０】
データ評価機器１３０は、ベースバンド信号からデータを修復する。誤り検出機器１４０は、修復データの誤りを検出する。プロセッサ１５０は、検出された誤りを分析し、受信された通信におけるＢＬＥＲなどの誤り率を決定する。誤り率は、目標ＳＩＲジェネレータ１６０へのインプットであり、目標ＳＩＲジェネレータ１６０は、プロセッサ１５０によって提供される誤り率に基づいて目標ＳＩＲを生成する。目標ＳＩＲは、電力制御情報ジェネレータ１７０へのインプットである。電力制御情報ジェネレータ１７０は、どんな種類のＩＬＰＣが、通信局１００が動作しているシステムによって利用されているかによってある程度決まる、適切な電力制御情報を生成する。例えば、ＵＭＴＳ  ＴＤＤは、下り回線においてオープンループＩＬＰＣを使用するのに対し、他の種類の無線システムは、クローズドループＩＬＰＣを使用する。
【００１１】
クローズドループＩＬＰＣが使用されるところでは、電力制御情報ジェネレータ１７０は、受信したフレーム／ブロックの測定ＳＩＲと目標ＳＩＲジェネレータ１６０によって生成されたＳＩＲ目標を比較し、かつ目標電力制御（ＴＰＣ）命令を生成する。ＴＰＣ命令により、通信局１００と通信する送信機が、自らの電力を増加すべきか、または減少すべきかが表示される。例えば、測定ＳＩＲが目標ＳＩＲよりも小さい所では、ＴＰＣ命令は、送信機が自らの電力を増加すべきであることを示し、測定ＳＩＲが目標ＳＩＲよりも大きい所では、ＴＰＣ命令は、送信機が自らの電力を減少すべきであることを示す。
【００１２】
オープンループＩＬＰＣが使用されるところでは、電力制御情報ジェネレータ１７０は、目標ＳＩＲジェネレータ１６０から提供される目標ＳＩＲを単に出力する。この場合、通信局１００と通信する送信機は、送信機が自らの電力設定をどのように変更し、目標ＳＩＲを達成すべきかを決定することを担当する。
【００１３】
電力制御情報ジェネレータ１７０によって生成された電力制御情報（すなわち、ＳＩＲ目標またはＴＰＣ命令）は、変調装置１８０へのインプットである。変調装置１８０は、送信局（図示せず）への送信情報を調節する。
【００１４】
図２を参照して、本発明によるＯＬＰＣプロセス２００を示す。一旦、受信局１００が通信信号を受信すると（ステップ２１０）、受信された通信信号は処理され、一連のデータブロックにおけるＢＬＥＲは測定される（ステップ２２０）。
【００１５】
測定ＢＬＥＲ（ＢＬＥＲmsr）は、最後のＮの受信ブロックに基づき、かつ受信ブロックの総数（Ｎ）に対する、誤りを有する受信ブロックの数（Ｎe）の割合である（すなわち、Ｎe／Ｎ）。Ｎは、ＢＬＥＲが測定される間のスライドウィンドウの幅である。例えば、最近のデータブロックのトラックを保持するために、Ｎを以下のように決定することができる。
【００１６】
方程式（１）：Ｎ＝Ｋ／ＢＬＥＲtarget
Ｋは定数であり、例えば１より大きいまたは等しい。ＢＬＥＲtargetは、目標ＢＬＥＲの値である。本発明は、最近のＮのデータブロックの誤り率を使用するので、目標ＳＩＲは、呼がＢＬＥＲ要求に合致する確率を増やす。
【００１７】
受信された通信信号のＢＬＥＲが測定された後、目標ＳＩＲ（ＳＩＲtarget）は、ＢＬＥＲの値（すなわち、ＢＬＥＲmsrおよびＢＬＥＲtarget）に基づいて調整される（ステップ２３０）。目標ＳＩＲの調整は、ＣＲＣまたは前方誤り訂正（Forward Error Correction）（ＦＥＣ）などの受信されたデータブロックの誤り検査に基づく。他の誤り検査の仕組みを、本発明の精神および範囲から離れることなく使用可能であるということは当業者によって理解されるだろう。
【００１８】
データブロックの誤り検査結果が許容範囲にある場合、目標ＳＩＲ（ＳＩＲtarget）は、方程式２から４によって決定されることが望ましい。  
方程式（２）：ＳＩＲtarget＝ＳＩＲtarget*−ＳＴＥＰdown
方程式（３）：ＳＴＥＰdown＝（１＋ＢＬＥＲdown）×ＢＬＥＲtarget×ＳＴＥＰsize
方程式（４）：ＢＬＥＲdown＝ｍａｘ（−１，１−ＢＬＥＲmsr／ＢＬＥＲtarget）
ＳＩＲtarget*は、以前の目標ＳＩＲであり、ＳＴＥＰsizeは、ジャンプアルゴリズムの収束スピードを決定するパラメータである。
【００１９】
データブロックの誤り検査結果が許容範囲にない場合、目標ＳＩＲ（ＳＩＲtarget）は、方程式５から７によって決定される。
方程式（５）：ＳＩＲtarget＝ＳＩＲtarget*＋ＳＴＥＰup
方程式（６）：ＳＴＥＰup＝（１＋ＢＬＥＲup）×（１−ＢＬＥＲtarget）×ＳＴＥＰsize
方程式（７）：ＢＬＥＲup＝ｍｉｎ（２，ＢＬＥＲmsr／ＢＬＥＲtarget−１）
ＳＩＲtarget*は、以前の目標ＳＩＲであり、ＳＴＥＰsizeは、ジャンプアルゴリズムの収束スピードを決定するパラメータである。ＳＩＲ目標の調整のステップの大きさ（ＳＴＥＰsize）は、測定ＢＬＥＲ（ＢＬＥＲmsr）と目標ＢＬＥＲ（ＢＬＥＲtarget）との差異によって決まる。例として、ＢＬＥＲtargetが１％に定められると仮定し、１００の最後のブロックのＣＲＣ状態は、メモリに保持され、測定ＢＬＥＲを計算する（すなわち、Ｎ＝１００）。１．０ｄＢの基本的なＳＴＥＰsizeを使用すると、（ＣＲＣ誤りの場合の）実際のステップの大きさ上昇であるＳＴＥＰupは、以下の値をとることができる。
１．１番目の誤りが、過去１００ブロック以内で発生した場合、０．９９ｄＢ
２．２番目の誤りが、過去１００ブロック以内で発生した場合、１．９８ｄＢ
３．３番目の（またはそれより大きい）誤りが、過去１００ブロック以内で発生した場合、２．９７ｄＢ
【００２０】
結果として、ＳＩＲ目標は、複数の誤りが発生する場合、より積極的に増加し、もっと迅速な修復時間を保証する。同様に、（ＣＲＣ成功の場合の）ステップの大きさ減少であるＳＴＥＰdownは、以下の値をとることができる。
１．最後の１００ブロックで誤りが発生していなかった場合、０．０２ｄＢ
２．最後の１００ブロックで１つの誤りが発生していた場合、０．０１ｄＢ
３．最後の１００ブロックで１より多い誤りが発生していた場合、０ｄＢ
【００２１】
方程式２から７にしたがって、高いＢＬＥＲmsrについて、ＢＬＥＲupは増加し、ＳＴＥＰupは、低いＢＬＥＲmsrについてよりも大きくなる。結果として、ＳＩＲtargetの増加は、ＢＬＥＲmsrが増加するので、より大きい。他方、ＢＬＥＲdownが減少する場合、ＳＴＥＰdownは、低いＢＬＥＲmsrについてよりも高いＢＬＥＲmsrについてより小さくなる。結果として、ＢＬＥＲmsrは増加するので、ＳＩＲtargetは、以前の値であるＳＩＲtarget*からほとんど変化しない。
【００２２】
ＳＴＥＰupが増加するのは、複数のＳＩＲtargetの増加が最近起こった場合であり、ＳＴＥＰdownが増加するのは、ＳＩＲtargetの増加が最近起こらなかった場合である。加えて、各データブロックのＢＬＥＲの変化についてのＳＩＲ調整の量は、より大きいので、目標ＱｏＳにもっと迅速に収束する。ＯＬＰＣは、短い呼に応答することができ、短い呼は、少数のトランスポートブロックを即座に送信する。
【００２３】
他の実施形態では、ＢＬＥＲtargetへの収束は、以下の方程式８および９のように、ＳＩＲtargetのＳＴＥＰdownの形成を変えることによって改善される。
方程式（８）：ＳＴＥＰdown＝（２×ＢＬＥＲtarget−ＢＬＥＲmsr）×ＳＴＥＰsize
方程式（９）：ＳＴＥＰup＝ＳＴＥＰsize−ＳＴＥＰdown
【００２４】
このやり方で、測定ＢＬＥＲが目標ＢＬＥＲを超える場合、ＳＩＲは重要な領域で減少し、ブロック誤りは、より長い時間の後に発生しやすい。これにより、過去に発生した高いＢＬＥＲを補正することができる。他方、ＢＬＥＲtargetよりも低いＢＬＥＲmsrを観測することはＳＴＥＰdownの増加につながり、このため、ブロック誤りは、より短い時間の後に発生しやすい。これにより、過去に発生した低いＢＬＥＲを補正することができる。
【００２５】
図２を参照すると、新たな目標ＳＩＲが決定された後、オープンループＩＬＰＣまたはクローズドループＩＬＰＣが利用されているか否かしだいで、前者の場合、目標ＳＩＲを送信局に送信し、後者の場合、ＴＰＣ命令を計算し、送信局に送信する(ステップ２４０)。上記で説明したように、目標ＳＩＲおよびＴＰＣ命令を、電力制御情報として全体的に参照することができる。ステップ２５０において、送信局は、送信局に提供される電力制御情報に基づいて、送信通信信号の電力を制御する。
【００２６】
本発明の特徴および要素を、好適な実施形態において特定の組み合わせで説明したけれども、各特徴または要素を単独で（好適な実施形態における他の特徴および要素なしで）または本発明の他の特徴および要素を使用する、若しくは使用しない、様々な組み合わせで使用することは可能である。
【図面の簡単な説明】
【００２７】
【図１】本発明によるＯＬＰＣを実行するために構成された通信局のブロック図である。
【図２】本発明によるＯＬＰＣを実行する方法のフロー図である。
【図１】
2007529166.tif 000003
【図２】
2007529166.tif 000004
【国際調査報告】
2007529166.tif 000005